(57)【要約】【課題】自分が使用した歯ブラシ及び歯磨チューブを他人のものと間違えずに容易に特定できる使い捨て歯ブラシ及び使い捨て歯ブラシセットを提供する。【解決手段】柄１３に歯磨チューブ１５を係止するための係止用部材１１を備えており、当該係止用部材が、歯磨チューブの側面を押し潰すことなく係止する。したがって、歯磨き終了後、歯ブラシ１０に歯磨チューブを係止しておくことで自分が使用した歯ブラシ及び歯磨チューブを他人のものと間違えずに容易に特定できる。【選択図】図１
0003172838.tif 000002
【実用新案登録請求の範囲】
【請求項１】
柄に歯磨チューブを係止するための係止用部材を備えており、当該係止用部材が、歯磨チューブの側面を押し潰すことなく係止することを特徴とする使い捨て歯ブラシ。
【請求項２】
複数色のうち一色で着色したことを特徴とする請求項１に記載の使い捨て歯ブラシ。
【請求項３】
数字、記号又はキャラクターを付したことを特徴とする請求項１又は２に記載の使い捨て歯ブラシ。
【請求項４】
記名欄を備えることを特徴とする請求項１〜３のいずれか一項に記載の使い捨て歯ブラシ。
【請求項５】
請求項１〜４のいずれか一項に記載の使い捨て歯ブラシと歯磨チューブとを備えることを特徴とする使い捨て歯ブラシセット。
【考案の詳細な説明】
【技術分野】
【０００１】
本考案は、使い捨て歯ブラシ及び使い捨て歯ブラシと歯磨チューブとからなる使い捨て歯ブラシセットに関する。
【背景技術】
【０００２】
ホテルや温泉宿などの宿泊施設では、宿泊者が宿泊中に使用するための使い捨て歯ブラシセット（以下、単に「歯ブラシセット」と表記することがある）が提供されている。
使い捨て歯ブラシセットは歯ブラシと歯磨チューブがそのまま、あるいはポリプロピレン等で作られた包装袋の中に収められているのが一般的である。
【０００３】
通常、一部屋の宿泊人数と同数の使い捨て歯ブラシセットがまとめて部屋の洗面化粧台等に置かれており、宿泊者は複数の歯ブラシセットの中から自分用の一つを選択して使用することになる。
例えば、夜の就寝前に歯ブラシセットを使用した場合、各宿泊者は使用後の歯ブラシセットを再び洗面化粧台等に戻しておくことが多いが、包装袋は既に廃棄していたり、そもそも包装袋に入っていないこともあるので、歯磨チューブは歯ブラシの近くに置いておくことになる。
そして、翌朝の歯磨き時には昨晩自分が使用した歯ブラシと歯磨チューブを探すことになるが、ここで問題が生じる。
すなわち、洗面化粧台等に散乱した状態で置かれた複数の歯ブラシ及び歯磨チューブの中から、自分のものを見つけ出すのが難しいという問題である。
【０００４】
通常、歯磨きの際には歯磨チューブから歯磨ペースト（練歯磨剤）を絞り出した後、歯ブラシに歯磨チューブの口を接触させながら歯磨ペーストを付けることが多いため、衛生管理の観点から、自分が使用した歯ブラシ及び歯磨チューブを他人のものと間違えることなく、宿泊期間中継続的に使用したいという要求が少なからず存在する。
特に、歯ブラシはサイズが大きく目立つことから、昨晩自分が置いた場所が記憶に残っていることが多く、翌朝自分が使用した歯ブラシを見つけ出すことができる場合が多いが、歯ブラシと比較して小型の歯磨チューブは自分のものを見つけ出すのが難しい。
【０００５】
しかし、このような問題を解決し得る使い捨て歯ブラシ及び使い捨て歯ブラシセットの提案は未だなされていないのが現状である。
例えば特許文献１には、柄の長手方向に長穴を設け、この長穴に歯磨チューブを挿入できる歯ブラシが開示されている。
また、特許文献２には、柄にＬ字型のフックを設けて、当該フックと柄の間に形成したスリットに歯磨チューブを挿入できる歯ブラシが開示されている。
【先行技術文献】
【特許文献】
【０００６】
【特許文献１】特開２００１‐１３７０４４号公報
【特許文献２】実開昭６３−１６１５３９号公報
【考案の概要】
【考案が解決しようとする課題】
【０００７】
しかし、上記各特許文献に開示された長穴やスリットを備える歯ブラシでは以下のような問題がある。
すなわち、これら従来の歯ブラシは、長穴等に歯磨チューブをその後端側から差し込んで引っ張ることで、歯磨チューブの上下両面から圧力を加えて大きく変形させて内部の歯磨ペーストを絞り出すといういわゆるチューブ絞り機能を持たせたものにすぎない。
【０００８】
つまり、これら従来の歯ブラシは、上述したような自分が使用した歯ブラシ及び歯磨チューブを他人のものと区別して認識できる機能は備えていない。
特に、使い捨て歯ブラシセットで使用する歯磨チューブの場合、宿泊期間中の数回使用できる程度の僅かな量（３グラム程度）の歯磨ペーストを入れられれば足りるため、家庭用の歯磨チューブ（通常、歯磨きペーストの量は５０〜１５０グラム程度）と比較してその外形は非常に小さくなっている。
【０００９】
したがって、使い捨て歯ブラシセット用の歯磨チューブは、例えば親指と人差し指の腹でその側面全体を上下から押さえれば歯磨ペーストを容易に絞り出すことができるので、歯磨ペーストを絞り出すための機能を使い捨て歯ブラシに持たせる必要はない。
【００１０】
本考案は上記問題に鑑み、自分が使用した歯ブラシ及び歯磨チューブを他人のものと間違えずに容易に特定できる使い捨て歯ブラシ及び使い捨て歯ブラシセットを提供することを目的とする。
【課題を解決するための手段】
【００１１】
本考案の使い捨て歯ブラシは、柄に歯磨チューブを係止するための係止用部材を備えており、当該係止用部材が、歯磨チューブの側面を押し潰すことなく係止することを特徴とする。
また、複数色のうち一色で着色したことを特徴とする。
また、数字、記号又はキャラクターを付したことを特徴とする。
また、記名欄を備えることを特徴とする。
また、本考案の使い捨て歯ブラシセットは、上記使い捨て歯ブラシと歯磨チューブとを備えることを特徴とする。
【考案の効果】
【００１２】
本考案の使い捨て歯ブラシによれば、係止用部材によって歯磨チューブを押し潰すことなく歯ブラシに係止できる。したがって、歯磨き終了後、歯ブラシに歯磨チューブを係止しておくことで自分が使用した歯ブラシ及び歯磨チューブを他人のものと間違えずに容易に特定できる。
特に、複数の歯ブラシにそれぞれ異なる色を施すことにすれば、使用した歯ブラシの色を記憶しておくことで、自分の歯ブラシ及び歯磨チューブをより容易に特定できる。
また、歯ブラシに１，２，・・・等の数字やＡ，Ｂ，・・・等の記号を付したり、異なる種類のキャラクター（人の顔、動物、乗り物など）を付したり、あるいは記名することによって、使用者は自分の歯ブラシを記憶し易くなり、自分の歯ブラシ及び歯磨チューブをより容易に特定できる。
【００１３】
また、歯磨きの際には係止用部材が指に引っ掛かるので、歯ブラシの柄を滑りにくくするという効果もある。
また、歯磨チューブを係止できるので、歯磨チューブを紛失する可能性を低くできる。
なお、本考案における「係止用部材」とは、柄に構造物を新たに付加することで、当該構造物により歯磨チューブの側面を押し潰さずに係止する機能を持つ部材を指す。したがって、柄に構造物を設けずに単に長穴を設けたものは本考案の「係止用部材」には含まない。
また、柄に構造物を新たに付加したものであっても、当該構造物により長穴（スリット）を形成し、これら長穴等に歯磨チューブの側面を押し潰しながら挿入して係止するものも本考案の「係止用部材」には含まない。
また、本考案の使い捨て歯ブラシセットは、ホテルや温泉宿などの宿泊施設で使用する場合に限らず、鞄の中に常備しておく携帯用歯ブラシセットとして使用してもよい。
【図面の簡単な説明】
【００１４】
【図１】第一の実施の形態の使い捨て歯ブラシ及び歯磨チューブの外観を示す斜視図
【図２】第一の実施の形態の使い捨て歯ブラシ及び歯磨チューブの外観を示す斜視図
【図３】第一の実施の形態の使い捨て歯ブラシ及び歯磨チューブの外観を示す斜視図
【図４】第二の実施の形態の使い捨て歯ブラシ及び歯磨チューブの外観を示す斜視図
【図５】第二の実施の形態の使い捨て歯ブラシ及び歯磨チューブの外観を示す斜視図
【図６】第二の実施の形態の使い捨て歯ブラシの外観を示す斜視図
【図７】第三の実施の形態の使い捨て歯ブラシの外観を示す斜視図
【図８】第四の実施の形態の使い捨て歯ブラシの外観を示す斜視図
【図９】第四の実施の形態の使い捨て歯ブラシの外観を示す斜視図
【図１０】第五の実施の形態の使い捨て歯ブラシの外観を示す斜視図
【考案を実施するための形態】
【００１５】
［第一の実施の形態］
本考案の使い捨て歯ブラシの第一の実施の形態について説明する。
なお、説明の便宜上、歯ブラシの柄のうち、ブラシが付いている面を内面、ブラシが付いていない面を外面とする。また、柄の長手方向のうちブラシが付いている側を前、ブラシが付いていない側を後とする。
【００１６】
図１に示すように、本実施の形態の使い捨て歯ブラシ１０は係止用部材１１として２本のアーム１２を備えている。
各アーム１２は柄１３の内面の左右から互いに平行な状態で上方に伸びる棒状部材であり、その突端部が内側に僅かに屈曲することで爪１４を形成している。
アーム１２は柄１３と一体に成形することが好ましく、材料としてはポリプロピレン等のプラスチックが挙げられる。柄１３及びアーム１２をプラスチック製とすることでアーム１２に可撓性を持たせることができる。
【００１７】
次に、アーム１２を用いた歯磨チューブの係止方法について説明する。
使用者は歯磨き終了後、歯磨チューブ１５を左右のアーム１２の爪１４に接触させた状態で下側に押し込むことで可撓性を持つアーム１２がそれぞれ撓み、２本のアーム１２の間隔が広がっていく。
【００１８】
歯磨ペーストが入った歯磨チューブ１５自体も通常はプラスチック製等で一定の弾性を有しているため、爪１４に接触させた状態の歯磨チューブ１５を弾性変形させながら更に下方に押し込んでいくと、爪１４を超えた時点で各アーム１２の撓みが復元され、２本のアーム１２が再び平行状態になることにより、図２に示すように、歯磨チューブ１５は爪１４によって抱え込まれた状態で柄１３の内面側に係止される。
【００１９】
なお、係止された状態の歯磨チューブ１５はアーム１２と接触する箇所が僅かに弾性変形により窪む程度でほぼ本来の状態に復元する。すなわち、歯磨チューブ１５は係止用部材１１によってその側面が押し潰されることなく係止されることになる。
歯磨チューブ１５を係止した状態から歯磨きを行う場合には上記動作を逆に行えばよい。すなわち、歯磨チューブ１５を上方に引っ張り、２本のアーム１２を左右に撓ませることでその間隔を広げ、爪１４を超える位置まで移動させて取り出せばよい。
または、歯磨チューブ１５を前方又は後方にスライドさせてアーム１２から抜き出してもよい。
【００２０】
なお、本実施の形態では左右２本のアーム１２を一組として柄と一体成形するものとしたが、これに限らず、図３に示すように、アーム１２を柄１３の前後方向に二組あるいはそれ以上備えてもよい。
また、柄に着色を施してもよい。例えば、赤、青、黄、緑の４色を４本の歯ブラシそれぞれに施すことで、使用者は自己の歯ブラシを記憶し易くなり、歯ブラシ及びこれに係止された歯磨チューブを容易に特定できるようになる。
また、本実施の形態の使い捨て歯ブラシと歯磨チューブとをセットにすることで使い捨て歯ブラシセットを得ることができる。
【００２１】
［第二の実施の形態］
次に、本考案の使い捨て歯ブラシの第二の実施の形態について説明する。
なお、上記第一の実施の形態と同一の構成となる箇所については同一の符号を付してその説明を省略する。
【００２２】
図４に示すように、本実施の形態の使い捨て歯ブラシ２０は係止用部材としてリング２１を備える点に特徴を有する。
リング２１はその開口２１ａが前後方向を向き、その下側が柄１３の左右側面と接合した状態で柄１３と一体的に成形されている。
係止用部材としてリング２１を用いる場合には、図４に示すように底に向かって幅が僅かに広がっていく形状の歯磨チューブ２２を使用するのが好ましい。
【００２３】
リング２１による歯磨チューブ２２の係止方法について説明すると、使用者は歯磨チューブ２２のキャップ２２ａをリング２１の開口２１ａに対して前後いずれかの方向から挿入していく。歯磨チューブ２２はその下方が広がっているので、挿入の途中でリング２１の内周面に歯磨チューブ２２の側面が接触する。そして、接触した状態から更に歯磨チューブ２２を弾性変形させながら押し込み、リング２１と接触した箇所が僅かに弾性変形により窪んだ状態で止めることで、図５に示すように歯磨チューブ２２をリング２１に係止することができる。
【００２４】
係止された状態の歯磨チューブ２２はほぼ本来の状態に復元しており、係止用部材（リング２１）によってその側面が押し潰されることなく係止されることになる。
なお、本実施の形態ではリング２１を一つ備えた構成で説明したが、これに限らず、図６に示すようにリング２１を前後方向に二つあるいは二つ以上備えてもよい。
【００２５】
［第三の実施の形態］
本考案の歯ブラシの第三の実施の形態について説明する。
なお、上記各実施の形態と同一の構成となる箇所については同一の符号を付してその説明を省略する。
【００２６】
図７に示すように、本実施の形態の使い捨て歯ブラシ３０は係止用部材として上記第二の実施の形態で示したものと同様のリング３１の頂上部に切り欠き部３２を備える点に特徴を有する。
本構造の場合、歯磨チューブを切り欠き部３２に押し当てながら下側に押し込み、切り欠き部３２の幅を左右方向に広げることで歯磨チューブを係止できる。
【００２７】
［第四の実施の形態］
本考案の歯ブラシの第四の実施の形態について説明する。
なお、上記各実施の形態と同一の構成となる箇所については同一の符号を付してその説明を省略する。
【００２８】
図８に示すように、本実施の形態の使い捨て歯ブラシ４０は柄１３に数字４１を付した点に特徴を有する。
なお、数字以外にも例えば記号やキャラクターを付すことにしてもよいし、これら数字、記号及びキャラクターを適宜組み合わせて柄１３に付してもよい。
また、図９に示すように柄１３に記名欄４２を設けてもよい。
【００２９】
［第五の実施の形態］
本考案の歯ブラシの第五の実施の形態について説明する。
なお、上記各実施の形態と同一の構成となる箇所については同一の符号を付してその説明を省略する。
【００３０】
図１０に示すように、本実施の形態の使い捨て歯ブラシ５０は柄１３に係止用部材１１として２本のアーム５１を備えている。
各アーム５１は柄１３の内面の左右から互いに平行な状態で上方に伸びる棒状部材であり、その突端部において内側に僅かに屈曲した後上方に開く受け口５２を備えている点に特徴を有する。
図１０（ａ）は使い捨て歯ブラシ５０の通常状態を示している。また、図１０（ｂ）は歯磨きペーストが十分に入って膨らんだ状態の歯磨きチューブ１５をアーム５１で係止した状態を示している。使用者は歯磨きチューブ１５を受け口５２に接触させた状態で下方に押し込むことで、各アーム５１が矢印に示す方向に弾性的に撓み、両アーム５１の間隔が広がるので、歯磨きチューブ１５を容易に係止できる。
【００３１】
また、歯磨きペーストの量が少なくなって萎んだ状態の歯磨きチューブ１５は、図１０（ｃ）に示すように各アーム５１が撓んでいない状態、すなわち図１０（ａ）に示した通常状態で係止できる。
本構造によれば使用者は受け口５２を利用して歯磨きチューブ１５を容易に係止できる。
なお、係止用部材としては上記実施の形態で示したものに限らず、歯磨チューブの側面を押し潰すことなく係止できるものであればよい。
【産業上の利用可能性】
【００３２】
自分が使用した歯ブラシ及び歯磨チューブを他人のものと間違えずに容易に特定できる使い捨て歯ブラシ及び使い捨て歯ブラシセットに関するものであり、産業上の利用可能性を有する。
【符号の説明】
【００３３】
１０  使い捨て歯ブラシ
１１  係止用部材
１２  アーム
１３  柄
１４  爪
１５  歯磨チューブ
２０  使い捨て歯ブラシ
２１  リング
２１ａ  開口
２２  歯磨チューブ
２２ａ  キャップ
３０  使い捨て歯ブラシ
３１  リング
３２  切り欠き部
４０  使い捨て歯ブラシ
４１  数字
４２  記名欄
５０  使い捨て歯ブラシ
５１  アーム
５２  受け口
【図１】
0003172838.tif 000003
【図２】
0003172838.tif 000004
【図３】
0003172838.tif 000005
【図４】
0003172838.tif 000006
【図５】
0003172838.tif 000007
【図６】
0003172838.tif 000008
【図７】
0003172838.tif 000009
【図８】
0003172838.tif 000010
【図９】
0003172838.tif 000011
【図１０】
0003172838.tif 000012